(57)【要約】【課題】接着テープ１６は再利用ができず、メンテナンス等で一度接着テープ１６をはがしてしまうと、新品の接着テープ１６に取り替える必要があるので、浴室リモコン３をメンテナンスや故障等で取りはずす度にコストがかかってしまうという問題があった。【解決手段】保護紙１５には、前記接着面と前記非接着面とを同時に使用できるように複数の領域に分割する切れ目を有し、前記接着面と前記非接着面の面積がそれぞれ少なくとも所定面積より大きくなるようにした。【選択図】図６
2017156032.tif 000002
【特許請求の範囲】
【請求項１】
リモコンの背面ケースに備えた接着面を持つ接着テープと、施工時まで前記接着テープの接着面を覆って非接着面とする保護紙とを有したリモコンにおいて、前記保護紙には、前記接着面と前記非接着面とを同時に使用できるように複数の領域に分割する切れ目を有し、前記接着面と前記非接着面の面積がそれぞれ少なくとも所定面積より大きくなるようにしたことを特徴とするリモコン。
【請求項２】
前記切れ目は、略長方形状の切れ目であると共に、前記略長方形の切れ目の中心は前記背面ケースの中心と等しくしたことを特徴とする請求項１記載のリモコン。
【請求項３】
リモコンの施工方法であって、初回施工時には前記接着面を用いて施工すると共に、前記初回施工時以降に用いるために前記初回施工時には使用しない少なくとも一つ以上の非接着面を残すことを特徴とする請求項１または２記載のリモコンの施工方法。
【請求項４】
リモコンの施工方法であって、施工時に使用する前記接着面は、前記複数の領域で前記面積の大きい順に使用していくことを特徴とする請求項１から３のいずれか１項記載のリモコンの施工方法。
【発明の詳細な説明】
【技術分野】
【０００１】
本発明は、給湯機等を制御するリモコンに関するものである。
【背景技術】
【０００２】
従来より、この種の給湯機等のリモコンは、浴室内と浴室外をケーブルで通信可能に接続されており、浴室内の浴室リモコンは浴室の壁に固定されていた。
【０００３】
浴室リモコンは、壁と浴室リモコンを接着するため、両面に接着テープがついた多孔質パッキンで浴室の壁に接着されていた（特許文献１）。
【先行技術文献】
【特許文献】
【０００４】
【特許文献１】特開２００３−３２９３００号公報
【発明の概要】
【発明が解決しようとする課題】
【０００５】
しかし、接着テープは再利用ができず、メンテナンス等で一度接着テープをはがしてしまうと、新品の接着テープに取り替える必要があるので、浴室リモコンをメンテナンスや故障等で取りはずす度にコストがかかってしまうという問題があった。
【課題を解決するための手段】
【０００６】
本発明は上記課題を解決するため、リモコンの背面ケースに備えた接着面を持つ接着テープと、施工時まで前記接着テープの接着面を覆って非接着面とする保護紙とを有したリモコンにおいて、前記保護紙には、前記接着面と前記非接着面とを同時に使用できるように複数の領域に分割する切れ目を有し、前記接着面と前記非接着面の面積がそれぞれ少なくとも所定面積より大きくなるようにした。
【０００７】
また、前記切れ目は、略長方形状の切れ目であると共に、前記略長方形の切れ目の中心は前記背面ケースの中心と等しくした。
【０００８】
また、リモコンの施工方法であって、初回施工時には前記接着面を用いて施工すると共に、前記初回施工時以降に用いるために前記初回施工時には使用しない少なくとも一つ以上の非接着面を残す施工方法である。
【０００９】
また、リモコンの施工方法であって、施工時に使用する前記接着面は、前記複数の領域で前記面積の大きい順に使用していく施工方法である。
【発明の効果】
【００１０】
このように本発明によれば、前記保護紙に、前記接着面と前記非接着面とを同時に使用できるように複数の領域に分割する切れ目を入れ、初回施工時に、前記切れ目に沿って前記保護紙の一部をはがすと、前記接着テープからなる接着面と、前記保護紙に覆われた非接着面とに分けられ、次回施工時には前記非接着面の保護紙をはがし、前記初回施工時には使用しなかった前記接着面を使用することで、前記浴室リモコンの再施工を容易に行うことができるようにすることができる共に、前記接着面及び前記非接着面は所定面積より大きくしたことで施工時に前記リモコンを浴室の壁に取り付けても落下しないようにすることができる。
【００１１】
また、使用する前記接着面は面積が大きい順に使用していくことにしたことで、初回施工時には最も強力な接着力を有することで確実に固定し、次回使用時にも次いで接着力を有することができる。
【図面の簡単な説明】
【００１２】
【図１】この発明の第１の実施例の概略説明図
【図２】この発明の浴室リモコンの分解斜視図
【図３】この発明の保護紙をつけた場合の背面ケースの後面図
【図４】この発明の保護紙をつけていない場合の背面ケースの後面図
【図５】この発明の初回施工時の背面ケースの後面図
【図６】この発明の初回施工時の浴室リモコンを壁に固定した時の上面断面図
【図７】この発明の初回施工時の浴室リモコンを壁に固定した時の側面断面図
【図８】この発明の二回目施工時の背面ケースの後面図
【図９】この発明の二回目工時の浴室リモコンを壁に固定した時の上面断面図
【図１０】この発明の二回目施工時の浴室リモコンを壁に固定した時の側面断面図
【図１１】この発明の三回目施工時の背面ケースの後面図
【図１２】この発明の三回目施工時の浴室リモコンを壁に固定した時の上面断面図
【図１３】この発明の三回目施工時の浴室リモコンを壁に固定した時の側面断面図
【図１４】別実施形態である保護紙に平行に切れ目をいれた場合の背面ケースの後面図
【発明を実施するための形態】
【００１３】
本発明の住宅設備機器のリモコンの第１実施例を図１に基づいて説明する。
１は給湯機本体等の住宅設備機器、２は屋内の浴室、３は浴室２内に設けられた浴室リモコン、４は住宅設備機器の制御装置、５は制御装置４と浴室リモコンを通信可能に接続する通信ケーブル、６は住宅設備機器１と浴室２内の浴槽とをつなぐ浴槽配管である。
【００１４】
次に浴室リモコン３の詳しい説明を図２に基づいて説明する。
７は浴室リモコン３の前面を覆う化粧板である前面ケース、８は浴室リモコン３の背面を覆う背面ケース、９はクリアのプラスチックからなる中仕切板、１０は発光表示体やスイッチ類やその他電子素子が取り付けられるプリント基板、中仕切板９及びプリント基板１０及び背面ケース８を組み合わせたものはリモコン本体Ａであり、中仕切板９と背面ケース８で密閉して、内部にあるプリント基板１０に水が付着するのを防いでいる。
【００１５】
前面ケース７には、設定温度や湯張り状況などを表示する表示部１１と、設定温度の変更及び各種操作を行う操作部１２とを有しており、使用者が表示部１１の内容を確認し、操作部１２で操作することができる。
【００１６】
次に背面ケース８について図３、図４に基づいて説明する。
背面ケース８の略中央に引き出し穴１３が開口されており、プリント基板１０のリモコン引き出し線１４を引き出し穴１３から通し、リモコン引き出し線１４と通信ケーブル５とを接続して、浴室リモコン３は操作部１２で操作した内容を制御装置４に送信している。
【００１７】
また、背面ケース８には非接着面の保護紙１５をはがすことで接着できるポリエチレンフォームの基材にアクリル系の接着材を塗布したものである接着テープ１６が備えられている。この接着テープ１６は湿度の高い環境で使用するため強接着性のものが用いられると共に、両面に接着材が塗布されているので、接着テープ１６を介して浴室２の壁と浴室リモコン３を取り付けることができる。
【００１８】
１７は浴室２の壁に浴室リモコン３を固定するための背面ケース７の左右両端に設けた取り付けネジ穴、１８はリモコン本体Ａと浴室２の壁とを取り付けネジ穴１７を介して固定する取り付けネジである。また、図６の１９は浴室リモコン３の縁と壁との隙間に充填したコーキングである。
【００１９】
また、保護紙１５には、略長方形状の連続した切れ目が大小二つあると共に、前記各略長方形状の切れ目の中心と背面ケース８の中心は等しくあり、前記切れ目により複数の領域に分割されている。保護紙１５は、第一保護紙部１５ａと第二保護紙部１５ｂと第三保護紙部１５ｃとを有し、接着テープ１６は、少なくともリモコン本体Ａを接着させた時にずり落ちないように仮止めできる所定の面積の接着面をもつように第一接着テープ部１６ａと、第二接着テープ部１６ｂと、第三接着テープ部１６ｃとを有し、浴室リモコン３の施工時に使用する接着テープ１６は、接着テープ１６の面積が大きい順に使用していく。
【００２０】
次に、浴室２の壁に浴室リモコン３を固定する初回施工時の固定方法を図５、図６、図７で詳しく説明する。
まず、図５のように第一接着テープ部１６ａの第一保護紙部１５ａをはがし、背面ケース８を浴室２の壁に接着し仮止めを行い、中仕切板９を取り付け、取り付けねじ穴１７を介して取り付けネジ１８でリモコン本体Ａと浴室の壁とを固定する。
【００２１】
そして、コーキング１９を浴室リモコン３の縁と壁の隙間に充填し、前面ケース７をはめ込むことで、浴室リモコン３を浴室２の壁に初回時の施工をしている。
【００２２】
また、故障やメンテナンスの時に浴室リモコン３を取り外す場合は、前面ケース７とコーキング１９を取り外し、取り付けネジ１８を抜いて、第一接着テープ部１６ａはがすことで浴室リモコン３を取り外すことができる。
【００２３】
そして、メンテナンスが終了したら、図８のように、第一接着テープ部１６ａをはがし、第二接着テープ部１６ｂの第二保護紙部１５ｂをはがし、背面ケース８を浴室２の壁に接着し、中仕切板９を取り付け、取り付けねじ穴１７を介して取り付けネジ１８でリモコン本体Ａと浴室２の壁とを図９、図１０のように固定する。
【００２４】
そして、コーキング１９を浴室リモコン３の縁と壁の隙間に充填し、前面ケース７をはめ込むことで、浴室リモコン３を浴室２の壁に施工することができると共に、新品の接着テープ１６を使用せずに再施工することができる。
【００２５】
また本発明では３回目のメンテナンス時でも図１１のように、第二接着テープ部１６ｂをはがし、第三接着テープ部１６ｃの第三保護紙部１５ｃをはがし、新品の接着テープ１６に替えずに容易に浴室リモコン３を図１２、図１３のように再施工することができる。
【００２６】
このように、保護紙１５に略長方形状の連続した切れ目を入れ、第一接着テープ部１６ａと第二接着テープ部１６ｂと第三接着テープ部１６ｃとに接着面と使用しない非接着面に分けることで、メンテナンス等で浴室リモコン３を取り外して、使えなくなった第一接着テープ部１６ａをはがしても、第二接着テープ部１６ｂを使用することで、新品の接着テープ１６につけ替える必要なく、容易に浴室リモコン３を浴室２の壁に取り付けることができる。
【００２７】
また、本発明のように前記各略長方形状の切れ目の中心と背面ケース８の中心を等しくすることで上下左右の接着面を等しくすることができ、上下左右からの力を受けても十分に接着できるようにすることができる。
【００２８】
また、本発明の保護紙１５に略長方形の連続した切れ目が入れられているので、一枚ずつはがすだけで、第一接着テープ部１６ａ、第二接着テープ部１６ｂ、第三接着テープ部１６ｃというように再施工時の接着面を容易に出すことができる。
【００２９】
次に、接着テープ１６のそれぞれの面積の順を、第一接着テープ部１６ａの面積＞第二接着テープ部１６ｂの面積＞第三接着テープ部１６ｃの面積のようにする。
【００３０】
このとき、第一接着テープ部１６ａの面積と第二接着テープ部１６ｂの面積と第三接着テープ部１６ｃ面積では、初回に使用する第一接着テープ部１６ａの面積が最も大きく、面積が大きい順に施工時にしていくようにした。つまり、初回施工時から使用していくのは、第一接着テープ部１６ａ、第二接着テープ部１６ｂ、第三接着テープ部１６ｃの順となる。
【００３１】
このように、初回施工時に用いる第一接着テープ部１６ａを最も大きくすることで、初回施工時の浴室リモコン３を確実に固定することができると共に、もしメンテナンスが必要で浴室リモコン３を取り外さなければいけない場合でも、次いで接着面の面積の大きい第二接着テープ部１６ｂで再施工が可能となる。
【００３２】
なお、本発明は実施形態に限定されるものではなく、要旨を変更しない範囲で改変することを妨げるものではなく、例えば、本発明では、保護紙１５の連続した切れ目は略長方形で構成されているが、図１４のように、上端下端に水平に延びた第一保護紙部１５ａであり、第二保護紙部１５ｂ及び第三保護紙部１５ｃは第一保護紙部１５ａと平行に縞々形状で、中心にむかって使用していくものでも良い。
【００３３】
また、本発明では施工３回まで使用することができるがこれに限定されものでなく、例えば接着テープ１６に設ける前記長方形の切れ目を増やすことで４回使用することもでき、前記切れ目を減らすことで２回使用とすることもできる。
【００３４】
また、保護紙１５の切れ目と同一位置に、接着テープ１６にも切れ目を設け、二回目以降の施工時に、前回使用済みの接着テープ１６を次回施工時の邪魔にならないようにはがし易くするようにしてもよい。
【００３５】
また、本発明は浴室リモコン３で説明したが、接着テープ１６を取り付けるようなリモコンであれば良く、例えば台所リモコンでも使用することができる。
【符号の説明】
【００３６】
１      住宅設備機器
２      浴室
３      浴室リモコン
４      制御装置
７      前面ケース
８      背面ケース
９      中仕切板
１０    プリント基板
Ａ      リモコン本体
１５    保護紙
１５ａ  第一保護紙部
１５ｂ  第二保護紙部
１５ｃ  第三保護紙部
１６    接着テープ
１６ａ  第一接着テープ部
１６ｂ  第二接着テープ部
１６ｃ  第三接着テープ部
１９    コーキング
【図１】
2017156032.tif 000003
【図２】
2017156032.tif 000004
【図３】
2017156032.tif 000005
【図４】
2017156032.tif 000006
【図５】
2017156032.tif 000007
【図６】
2017156032.tif 000008
【図７】
2017156032.tif 000009
【図８】
2017156032.tif 000010
【図９】
2017156032.tif 000011
【図１０】
2017156032.tif 000012
【図１１】
2017156032.tif 000013
【図１２】
2017156032.tif 000014
【図１３】
2017156032.tif 000015
【図１４】
2017156032.tif 000016